(57)【要約】【課題】写真の不正確な表示比率を回避すること。【解決手段】フレーム本体、脚部、マイクロプロセッサ、出力及び入力インターフェース、外部接続記憶デバイス、マルチプレクサ、第１のバッファユニット、第２のバッファユニット、第３のバッファユニット、第１のディスプレイパネル、第２のディスプレイパネル、及び制御パネルを含む。ポートレートモード写真の表示が望まれる場合、マイクロプロセッサは、その写真を第１のバッファユニットに送り、その写真を第１のディスプレイパネルに表示する。風景モード写真の表示が望まれる場合、マイクロプロセッサはその写真を第２のバッファユニットに送り、その写真を第２のディスプレイパネルに表示する。【選択図】図２
2008046166.tif 000002
【特許請求の範囲】
【請求項１】
デュアルディスプレイパネルを有するデジタル写真フレームであって、
写真フレーム本体と
写真フレーム本体内に構成されるマイクロプロセッサと、
マイクロプロセッサに連結され、外部接続記憶デバイスへ連結されるのに適する出力及び入力インターフェースと、
フレーム本体内に構成され、且つマイクロプロセッサに連結されるマルチプレクサと、
フレーム本体内に構成され、マルチプレクサに夫々が連結された第１のバッファユニットと第２のバッファユニットと、
フレーム本体の前部に互いに隣同士に構成され、第１のバッファユニットと第２のバッファユニットに夫々連結された第１のディスプレイパネルと第２のディスプレイパネルと、を備え、第１のディスプレイパネルは、ポートレートモード矩形のパネルであり、第２のディスプレイパネルは、風景モード矩形のパネルであることを特徴とする、デュアルディスプレイパネルを有するデジタル写真フレーム。
【請求項２】
画像ファイルを受信及び格納するために、写真フレーム本体内に構成され、マイクロプロセッサに連結された第３のバッファユニットを更に備える、請求項１に記載のデュアルディスプレイパネルを有するデジタル写真フレーム。
【請求項３】
画像ファイルの表示時間間隔を設定するために、フレーム本体の前部に構成され、マイクロプロセッサに連結された制御パネルを更に備える、請求項２に記載のデュアルディスプレイパネルを有するデジタル写真フレーム。
【発明の詳細な説明】
【技術分野】
【０００１】
本発明は、概して、デジタル写真フレームに関し、より具体的には、風景とポートレートモードのデュアルディスプレイパネルを有するデジタル写真フレームに関する。
【背景技術】
【０００２】
今日、デジタル製品は、ますます普及している。多くの従来のデバイスは、デジタル化されたデバイスで置き換えられており、デジタルカメラは、よい例である。しかしながら、デジタルカメラは、消費者が利用可能となっているが、写真を現像し且つ従来の写真フレームにそれらの写真を表示する従来の方法は、遅れている。更に、写真を現像する従来の方法は、写真を維持するために手間と費用がかかる。
【０００３】
写真は、通常矩形フレームで現像される。風景モード写真は、縦方向辺よりも横方向辺が長い写真のことを言う。一方、ポートレートモード写真は、縦方向辺よりも横方向辺が短い写真のことを言う。風景モード写真は、極めて一般的であるので、ポートレートモードパネルよりも多くの風景モードパネルが製造される。しかしながら、ポートレートモード写真が風景モードパネルに表示される場合、デジタル写真フレームのディスプレイパネルに当て嵌めるためにそれらの写真の両側領域が黒となり、また、全写真のサイズが小さくなり過ぎる。従って、デジタル写真フレームは、更に改良されるはずである。
【発明の開示】
【発明が解決しようとする課題】
【０００４】
本発明は、デュアルディスプイパネルを有するデジタル写真フレームを提供する。
【課題を解決するための手段】
【０００５】
上記目的を達成するために、本発明の主技術は、フレーム本体、脚部、マイクロプロセッサ、出力及び入力インターフェース、外部接続記憶デバイス、マルチプレクサ、第１のバッファユニット、第２のバッファユニット、第３のバッファユニット、第１のディスプレイパネル、第２のディスプレイパネル、及び制御パネルを含む。
【０００６】
マイクロプロセッサは、写真フレーム本体内に構成される。出力及び入力インターフェースは、外部接続記憶デバイスへの更なる連結のためにマイクロプロセッサへ連結される。マルチプレクサは、マイクロプロセッサへ連結されるフレーム本体内に構成される。第１のバッファユニットと第２のバッファユニットは、マルチプレクサに連結されるフレーム本体内に構成される。第１のディスプレイパネルと第２のディスプレイパネルは、フレーム本体の前部に互いに隣同士に構成され、それらは、夫々、第１のバファユニットと第２のバファユニットに連結される。更に、第１のディスプレイパネルは、ポートレートモード矩形のパネルであり、第２のディスプレイパネルは、風景モード矩形のパネルである。
【０００７】
ポートレートモード写真の表示が望まれる場合、マイクロプロセッサは、その写真を第１のディスプレイネルパネルに表示するために第１のバッファユニットに送る。風景モード写真の表示が望まれる場合、マイクロプロセッサは、その写真を第２のディスプレイパネルに表示するために第２のバッファユニットに送る。従って、本発明は、それらの写真の不正確な表示比率を回避できる。
【０００８】
更に、第３のバッファユニットが、写真フレーム本体内に構成される。この第３のバッファユニットは、画像ファイルを受信し且つ記憶するためにマイクロプロセッサに連結される。
【０００９】
更に、制御パネルは、マイクロプロセッサを制御して画像ファイルの写真を９０°回転させるためにマイクロプロセッサに連結される画像フレームの前部に構成される。
【発明を実施するための最良の形態】
【００１０】
図１と図２を参照すると、本発明のデュアルディスプレイパネルを有するデジタル写真フレームの好適な実施の形態は、フレーム本体（１０）、脚部（１１）、マイクロプロセッサ（２０）、出力及び入力インターフェース（３０）、外部接続記憶デバイス（３１）、マルチプレクサ（４０）、第１のバッファユニット（５１）、第２のバッファユニット（５２）、第３のバッファユニット（５３）、第１のディスプレイパネル（６１）、第２のディスプレイパネル(６２)、及び制御パネル（７０）を含む。
【００１１】
フレーム本体（１０）は、フレーム本体（１０）の裏面に構成された脚部（１１）を有する矩形フレーム構造である。マイクロプロセッサ（２０）は、フレーム本体（１０）内に構成される。出力及び入力インターフェース（３０）は、外部接続記憶デバイス（３１）に記憶された複数の画像ファイルを読み出すために外部接続記憶デバイス（３１）に更に連結されるためにマイクロプロセッサ（２０）へ連結される。この好適な実施の形態では、出力及び入力インターフェース（３０）は、メモリカードコネクタインターフェースであり、外部接続記憶デバイス（３１）は、メモリカードである。
【００１２】
マルチプレクサ（４０）は、フレーム本体（１０）内に構成され、マイクロプロセッサ（２０）に連結される。第１、第２、及び第３のバファユニット（５１、５２、及び５３）は、夫々、フレーム本体（１０）内に構成される。第１と第２のバッファユニット（５１と５２）は、マルチプレクサ（４０）に連結され、それによって、マイクロプロセッサ（２０）は、マルチプレクサ（４０）を介してタスクを第１と第２のバッファユニット（５１と５２）に割当てるように制御する。第３のバッファユニット（５３）は、マイクロプロセッサ（２０）に連結され、画像ファイルを受信し記憶するための記憶領域として使用される。外部接続記憶デバイス（３１）の画像ファイルは、第３のバッファユニット（５３）へ転送され得る。従って、本発明のデュアルディスプレイパネルを有するデジタル写真フレームは、外部接続記憶デバイス（３１）が接続を断たれている時でも、写真を表示できる。
【００１３】
第１のディスプレイパネル（６１）と第２のディスプレイパネル（６２）は、フレーム本体（１０）の前部に互いに隣同士に構成され、夫々、第１と第２のバッファユニット（５１と５２）へ連結される。第１のディスプレイパネル（６１）は、ポートレートモード矩形のパネルであり、第２のディスプレイパネル（６２）は、風景モード矩形のパネルである。
【００１４】
制御パネル（７０）は、フレーム本体（１０）の前部に構成され、マイクロプロセッサ（２０）に連結される。制御パネル（７０）は、マイクロプロセッサ（２０）を制御して画像ファイルの表示時間間隔及び回転方向（９０°時計回り方向又は反時計回り方向）を設定し、次に、マイクロプロセッサ（２０）は、第３のバッファユニット（５３）を制御して、表示時間間隔情報と回転方向情報を記憶する。従って、マイクロプロセッサ（２０）は、第３のバッファユニット（５３）に記憶された表示期間間隔情報と回転方向情報に従って画像を制御してディスプレイパネル（６２）に表示する。
【００１５】
図２と図３を参照すると、本発明の写真の永久表示を可能とするデュアルディスプレイパネルを有するデジタル写真フレームのフローは、以下のステップを含む。
【００１６】
ステップ（１０１）において、マイクロプロセッサ（２０）は、外部接続記憶デバイス（３１）又は第３のバッファユニット（５３）から画像ファイルを読み出す。ステップ（１０２）において、マイクロプロセッサ（２０）は、画像ファイルの写真の横方向辺の縦方向辺に対する長さ比率を決定し、次に、ステップ（１０３）で、画像ファイルが適切なバッファユニットへ送られる。画像ファイルの写真が、ポートレートモードの写真の場合、画像ファイルは、第１のバッファユニット（５１）へ送られる。一方、画像ファイルの写真が、風景モードの写真の場合、画像ファイルは、第２のバッファユニット（５２）に送られる。
【００１７】
次に、ステップ（１０４）で、バッファユニットの対応するディスプレイパネルが、その写真を表示する。ステップ（１０５）で、ユーザが制御パネル（７０）を操作して、表示された画像ファイルを切り替えると、フローは、ステップ（１０１）の初期状態に戻り、そこで、マイクロプロセッサ（２０）は、第３のバッファユニット（５３）から他の画像ファイルを読み出す。一方、ユーザが制御パネル（７０）を操作しない場合、写真は、ステップ（１０５）として表示される。
【００１８】
更に、図２と図４を参照すると、本発明の写真の自動巡回表示を可能とするデュアルディスプレイパネルを有するデジタル写真フレームの作業フローは、写真の永久表示を可能とするデュアルディスプレイパネルを有するデジタル写真フレームの前述の例に略類似する。違いは以下の通りである。
【００１９】
ステップ（１０１）で、マイクロプロセッサ（２０）が、画像ファイルを読み出した後、ステップ（１０６）で、第３のバッファユニット（５３）が、写真表示時間情報を読み出す。次に、ステップ（１０７）で、マイクロプロセッサ（２０）は、第３のバッファユニット（５３）に読み出された画像ファイルの対応する写真回転情報があるか否かを検出する。第３のバッファユニット（５３）に記憶された対応する写真回転情報が無い場合、ステップ（１０２）で、マイクロプロセッサ（２０）は、写真の横方向辺の縦方向辺に対する長さ比率を決定し、次に。ステップ（１０３）で、画像ファイルを適切なバッファユニットへ送る。一方、第３のバッファユニット（５３）が、対応する写真回転情報を記憶すると、マイクロプロセッサ（２０）は、第３のバッファユニット（５３）から写真回転情報を読み出して、従って、ステップ（１０８）で、写真を回転する。次に、ステップ（１０３）で、画像ファイルは、適切なバッファユニットへ送られる。
【００２０】
次に、ステップ（１０９）で、バッファユニットの対応するディスプレイパネルは、写真を表示し、マイクロプロセッサ（２０）は、写真表示時間をカウントする。写真を表示する処理中に、ステップ（１１０）で、マイクロプロセッサ（２０）は、ユーザが制御パネル（７０）を操作して、画像ファイルの写真を制御して９０°時計回り方向又は反時計回り方向へ回転するか否かを決定し続ける。ユーザが制御パネル（７０）を操作して写真を回転すると、ステップ（１１１）で、画像回転情報を上書きして第３のバッファユニット（５３）へ記憶し、ステップ（１０３）で、画像ファイルが、適切なバッファユニットへ送られる。一方、ユーザが、写真を回転させるのに制御パネルを操作しないと、写真は、そのまま表示され、ステップ（１１２）で、写真表示時間が終了したか否かについてマイクロプロセッサ（２０）のカウント表示時間が決定される。写真の表示時間が終了すると、作業フローは、ステップ（１０１）の初期状態に戻り、他の画像ファイルを読み出す。
【００２１】
本発明のデュアルディスプレイパネルを有するデジタル写真フレームが、ポートレートモード又は風景モードの写真モードに従って、適切なディスプレイパネルを自動選択できることが、上記から明瞭に理解され得る。従って、写真が異常に縮小される従来のデジタル写真フレームの問題が解決される。従って、実際に、本発明のデュアルディスプレイパネルを有するデジタル写真フレームは、特許要件を満たす良好なユーティリティと非自明性の特徴を含む。
【００２２】
本発明は、例を介して且つ好適な実施の形態に関して記述されたが、本発明は、それに限定されないことは理解されるべきである。反対に、種々の変更及び類似の構成及び手順を含むことが意図され、従って、添付の請求の範囲は、全てのこのような変更、類似の構成及び手順を包含するように最も広い解釈が許容されるべきである。
【図面の簡単な説明】
【００２３】
【図１】本発明に係るデジタル写真フレームの好適な実施の形態の斜視図である。
【図２】本発明に係るデジタル写真フレームの好適な実施の形態のブロック図である。
【図３】本発明の写真の永久表示を可能とする好適な実施の形態のフロー図である。
【図４】本発明の写真の自動巡回表示を可能とする好適な実施の形態の作業フロー図である。
【図１】
2008046166.tif 000003
【図２】
2008046166.tif 000004
【図３】
2008046166.tif 000005
【図４】
2008046166.tif 000006